(57)【要約】      （修正有）【課題】簡易な構成で排気パネル上の水量を適正に維持することが可能な排気装置を提供する。【解決手段】上下に開口を有するハウジング１と、このハウジング１の上側の上記開口に接続されて上記ハウジング１内の排気を吸引する排気吸引通路６と、上記ハウジング１の下側の上記開口に被さり複数の孔を有する排気パネル２と、この排気パネル２上に水を供給する散水ノズル３と、上記排気パネル２の下側に配置される水槽４とを備え、上記排気パネル２上に貯留される水に上記孔を通して排気を送り込み、バブリングさせてから上記排気吸引通路６側に吸引させる排気装置Ａにおいて、上記散水ノズル３と水源とを接続する給水通路７と、この給水通路７の途中に設けられる電動弁７０と、この電動弁７０を開閉制御する制御装置Ｃとを備えている。【選択図】図１
0003190927.tif 000002
【実用新案登録請求の範囲】
【請求項１】
上下に開口を有するハウジングと、このハウジングの上側の上記開口に接続されて上記ハウジング内の排気を吸引する排気吸引通路と、上記ハウジングの下側の上記開口に被さり複数の孔を有する排気パネルと、この排気パネル上に水を供給する散水ノズルと、上記排気パネルの下側に配置される水槽とを備え、上記排気パネル上に貯留される水に上記孔を通して排気を送り込み、バブリングさせてから上記排気吸引通路側に吸引させる排気装置において、
上記散水ノズルと水源とを接続する給水通路と、この給水通路の途中に設けられる電動弁と、この電動弁を開閉制御する制御装置とを備えることを特徴とする排気装置。
【請求項２】
上記制御装置は、上記電動弁を開閉する際、全閉の上記電動弁が全開になるまでの通電時間よりも短い時間、上記電動弁に通電することを特徴とする請求項１に記載の排気装置。
【請求項３】
上記ハウジングの内部の温度を検出する温度センサを備えており、
上記制御装置は、上記温度センサで検出された値を基に上記電動弁を開閉することを特徴とする請求項１または請求項２に記載の排気装置。
【考案の詳細な説明】
【技術分野】
【０００１】
この考案は、排気装置に関するものである。
【背景技術】
【０００２】
排気装置の中には、排気の中から油脂分や臭い等を取り除く油脂捕捉機能を有するものがあり、このような排気装置は厨房等で利用されている。
【０００３】
例えば、特許文献１に開示の排気装置は、上下に開口を有するハウジングと、このハウジングの上側の開口に接続されてハウジング内の排気を吸引する排気吸引通路と、ハウジングの下側の開口に被さり複数の孔を有する排気パネルと、この排気パネル上に水を供給する散水ノズルと、上記排気パネルの下側に配置されて所定量の水を貯留する水槽と、この水槽の水を排気パネル上に汲み上げるポンプとを備え、上記排気パネル上に貯留される水に上記孔を通して排気を送り込み、バブリングさせてから上記排気吸引通路側に吸引させている。
【０００４】
上記構成によれば、排気が排気パネルの孔を通過して排気パネル上の水をバブリング（撹拌）する際に、水と排気が接触し、排気中の油脂分や臭いが分離、除去される。さらに、上記排気装置は、水槽の水量を検出するボールフロートと、散水ノズルと水源とを接続する給水通路と、この給水通路の途中に設けられる電磁弁と、この電磁弁を開閉制御する制御装置とを備えている。そして、水槽内の水量が所定以上となった場合には、電磁弁を開いて散水ノズルから排気パネル上に水を供給し、排気パネル上の水が不足してバブリングが充分に行えなくなることを防いでいる。
【先行技術文献】
【特許文献】
【０００５】
【特許文献１】特開平１０−２１６４４７号公報
【考案の概要】
【考案が解決しようとする課題】
【０００６】
ここで、上記従来の排気装置においては、排気パネル上へ水を供給するためにポンプと散水ノズルの両方を用いており、これにより、排気パネル上の水量を適正に維持して良好なバブリングを実現している。しかしながら、排気パネル上の水量を適正に維持するために必要な部品数が極めて多く、構造が複雑化してコスト高となる。
【０００７】
そこで、本発明の目的は、簡易な構成で排気パネル上の水量を適正に維持することが可能な排気装置を提供することである。
【課題を解決するための手段】
【０００８】
上記課題を解決するための手段は、上下に開口を有するハウジングと、このハウジングの上側の上記開口に接続されて上記ハウジング内の排気を吸引する排気吸引通路と、上記ハウジングの下側の上記開口に被さり複数の孔を有する排気パネルと、この排気パネル上に水を供給する散水ノズルと、上記排気パネルの下側に配置される水槽とを備え、上記排気パネル上に貯留される水に上記孔を通して排気を送り込み、バブリングさせてから上記排気吸引通路側に吸引させる排気装置において、上記散水ノズルと水源とを接続する給水通路と、この給水通路の途中に設けられる電動弁と、この電動弁を開閉制御する制御装置とを備えることである。
【考案の効果】
【０００９】
本考案によれば、簡易な構成で排気パネル上の水量を適正に維持することが可能となる。
【図面の簡単な説明】
【００１０】
【図１】本考案の一実施の形態に係る排気装置のシステム図である。
【図２】本考案の一実施の形態に係る排気装置の主要部を部分的に切欠いて示した斜視図である。
【図３】本考案の一実施の形態に係る排気装置の主要部を分解して示した斜視図である。
【図４】本考案の一実施の形態に係る排気装置の主要部を示した縦断面図である。
【図５】（ａ）は、本考案の一実施の形態に係る排気装置のエリミネータを拡大して示した斜視図である。（ｂ）は、（ａ）に記載のエリミネータを排気が通過する様子を示した説明図である。
【図６】本考案の一実施の形態に係る排気装置のエリミネータブロックを拡大し、分解して示した斜視図である。
【図７】（ａ）は、本考案の一実施の形態に係る排気装置の排気パネルを示した斜視図である。（ｂ）は、（ａ）の一つの孔部分を拡大して示した斜視図である。（ｃ）は、（ａ）をＺＺ線で切断したときのメインパネル部分の切断部端面と、排気パネルを排気が通過する際のバブリングの様子を示した説明図である。
【図８】（ａ）は、本考案の一実施の形態に係る排気装置の電動弁の一部を拡大して示した平面図であり、全閉の状態を示す。（ｂ）は、（ａ）の電動弁を全開にした状態を示した平面図である。
【考案を実施するための形態】
【００１１】
以下に本考案の一実施の形態に係る排気装置について、図面を参照しながら説明する。図面は、符号の向きに見るものとする。
【００１２】
図１，２に示すように、本実施の形態に係る排気装置Ａは、上下に開口を有するハウジング１と、このハウジング１の上側の上記開口に接続されて上記ハウジング１内の排気を吸引する排気吸引通路６と、上記ハウジング１の下側の上記開口に被さり複数の孔２１を有する排気パネル２と、この排気パネル２上に水を供給する散水ノズル３と、上記排気パネル２の下側に配置される水槽４とを備え、上記排気パネル２上に貯留される水に上記孔２１を通して排気を送り込み、バブリングさせてから上記排気吸引通路６側に吸引させるものであり、上記散水ノズル３と水源とを接続する給水通路7と、この給水通路7の途中に設けられる電動弁７０と、この電動弁７０を開閉制御する制御装置Ｃとを備えている。
【００１３】
以下、詳細に説明すると、上記排気装置Ａは、本実施の形態において、業務用厨房に利用され、排気から油脂分や臭い等を取り除くグリス除去装置である。なお、本考案の排気装置Ａの設置対象は、業務用厨房に限られず、これ以外に利用されるとしてもよい。
【００１４】
本実施の形態に係る排気装置Ａは、図１に示すように、コンロ等を含む燃焼設備Ｂの上方に配置されるハウジング１と、ハウジング１内の排気を屋外に導く排気吸引通路６と、この排気吸引通路６の途中に設けられる排気ファン６０と、ハウジング１の内部に取り付けられる複数のエリミネータ５と、ハウジング１の下端部に取り付けられる排気パネル２と、この排気パネル２の上側に配置される散水ノズル３と、水源に接続されて散水ノズル３に水を供給する給水通路７と、排気パネル２の下側に配置される水槽４と、この水槽４の水を排出させる排水通路８と、給水通路７の途中に設けた電動弁７０，７１と、ハウジング１内部の温度を検出するセンサ９と、上記排気ファン６０及び上記電動弁７０，７１の作動を制御する制御装置Ｃとを備えている。そして、排気装置Ａのハウジング１から水槽４にかけてが、フードＦで覆われている。
【００１５】
図３，４に示すように、ハウジング１は、上下に開口を有しており、上広がりの矩形枠状に形成されて厨房の天板Ｄ（図１）に連結される本体枠１０と、この本体枠１０の長手側の側面に形成される窓１０ａと、この窓１０ａを開閉可能に塞ぐ蓋板１１と、本体枠１０の内側に長手方向に沿って設けられる三本の支持部材１２，１３，１４と、上記本体枠１０の下端に短手方向に沿って設けられる二本のレール１５，１６とを備えている。
【００１６】
窓１０ａ側をハウジング１の正面（前側）とすると、本体枠１０の上部は、上端に向けて前後に広がり、この内側に排気吸引通路６が開口することで、ハウジング１の上側の開口に排気吸引通路６が接続されるようになっている。三本の支持部材１２，１３，１４は、本体枠１０の短手方向に平行に並んでおり、前後の支持部材１２，１４が本体枠１０の内側面に長手方向に沿って連結され、これらの支持部材１２，１４と所定の隙間を開けて中央の支持部材１３が設けられている。そして、中央の支持部材１３から前側及び後側の支持部材１２，１４にかけて、それぞれ、エリミネータ５が架け渡される。
【００１７】
二本のレール１５，１６は、本体枠１０の左右の下端に短手方向に沿って連結されており、これらレール１５，１６の間に排気パネル２をスライドさせて挿入することで、ハウジング１の下側開口に排気パネル２を被せている。
【００１８】
図３に示すように、エリミネータ５は、本実施の形態において、三つで一続きとなって一本のエリミネータユニットＵを構成しており、排気装置Ａは、四本のエリミネータユニットＵ、即ち、十二個のエリミネータ５を備えている。エリミネータユニットＵは、支持部材１２，１３，１４に沿って二本ずつ前後二行に並べられており、本体枠１０の窓１０ａからハウジング１の内部に挿入される。各エリミネータユニットＵは、二本の支持部材（１２，１３または１３，１４）で両側を支えられるので、安定する。支持部材１２，１３，１４は、エリミネータユニットＵの両端に当接するようになっており、各エリミネータ５を通過して上側に移動する排気の移動の妨げとならないように配慮されている。
【００１９】
各エリミネータ５は、図５に示すように、上下に開口する四角柱状の外周枠５０と、この外周枠５０の内側に設けられ上下斜めに傾斜する第一傾斜片５１及び第二傾斜片５２とを備えている。そして、第一傾斜片５１と上記第二傾斜片５２は、反対方向に傾斜しながら隣り合わせに配置され、第一傾斜片５１の上部分が第二傾斜片５２の下部分に被さるとともに、第二傾斜片５２の上部分が第一傾斜片５１の下部分に被さるようになっている。このようにすることで、第一傾斜片５１及び第二傾斜片５２によって外周枠５０内に二条の螺旋状通路５ａ，５ｂが形成される。図５（ｂ）中左側は、一方の螺旋状通路５ａを通る排気の流れを示しており、図５（ｂ）中右側は、他方の螺旋状通路５ｂを通る排気の流れを示している。
【００２０】
また、本実施の形態において、エリミネータユニットＵを上側から見たとき、当該エリミネータユニットＵを構成するエリミネータ５は、第一傾斜片５１の上端と第二傾斜片５２の上端が交互に一列に並ぶように配置されている。このため、図６に示すように、二枚の傾斜片母材ｕ１，ｕ２を折り曲げて組み合わせ、第一傾斜片５１の下端となる部分ｐ１と第二傾斜片５２の上端となる部分ｐ２にそれぞれ外周枠５０の一部となる仕切り板ｕ３を挿入してから、同じく外周枠５０の一部となる長枠ｕ４内に挿入し、傾斜片母材ｕ１，ｕ２の一部を折り曲げて形成される糊代部５３を長枠ｕ４の内周面に固定して、エリミネータユニットＵを構成できる。当該方法によれば、エリミネータユニットＵを容易に製造できる。
【００２１】
なお、エリミネータ５の個数や、並べ方、形成方法、取付方法等は適宜変更することが可能である。例えば、本実施の形態においては、エリミネータ５を複数連ねてエリミネータユニットＵを構成しているので、複数のエリミネータ５を取り付ける際の作業を容易にできるが、エリミネータ５を個別に取り付けるとしてもよい。また、本実施の形態においては、各エリミネータ５に、二条の螺旋状通路５ａ，５ｂが形成されるが、一または三条以上であってもよい。
【００２２】
つづいて、ハウジング１の下側の開口に被さる排気パネル２は、図７に示すように、一枚の矩形のメインパネル２０と、このメインパネル２０の外周縁に沿って起立する枠部２１とを備えて構成されており、二本のレール１５，１６に支えられてハウジング１の下端部に取り付けられる。メインパネル２０には、当該メインパネル２０の肉厚を貫通する複数の孔２１が形成されるとともに、各孔２１の縁２０ａが高くなるように隆起している。なお、本実施の形態において、孔２１の縁２０ａ全体が高くなり、環状に隆起しているが、孔２１の縁２０ａが部分的に隆起していてもよい。上記構成によれば、孔２１が形成されるメインパネル２０が一枚であっても、メインパネル２０における水の保水力を高くして、メインパネル２０上の水が不足することを抑制できる。
【００２３】
排気パネル２の上側に配置される散水ノズル３は、図２，３に示すように、給水通路７の一部を構成する横パイプ７ａに複数並べて取り付けられており、排気パネル２の上面に、なるべく均等に散水できるように配慮されている。詳しくは、横パイプ７ａは、排気パネル２の中央部上側に排気パネル２と所定の間隔を開けて配置され、排気パネル２の長手方向に延びており、二つで一組となる散水ノズル３，３が横パイプ７ａの下部に軸方向に四組並べて取り付けられている。一組の散水ノズル３，３は、反対方向に傾斜して斜め下向きに取り付けられている。なお、散水ノズル３の数や取付向き、方法等は適宜変更することが可能である。
【００２４】
散水ノズル３に水を供給する給水通路７は、図１に示すように、上記した横パイプ７ａと、この横パイプ７ａの一端に連なり天板Ｄ上に延びる縦パイプ７ｂと、この縦パイプ７ｂの上端と水源とを接続する給水管７ｃとを備えている。そして、当該給水管７ｃは、途中で定量給水通路７ｄと緊急給水通路７ｅの二股に分岐して再度合流しており、定量給水通路７ｄと緊急給水通路７ｅに、それぞれ、電動弁７０，７１が取り付けられている。
【００２５】
これらの電動弁７０，７１の開閉は、共に、制御装置Ｃで制御される。詳しくは、電動弁７０，７１は、図８に示すように、給水管７ｃに接続される筒状のケース７００と、このケース７００内に回転可能に収容される球状の弁体７０１と、この弁体７０１を直径方向に貫通する通孔７０２と、弁体７０１を回転させるモータとを備えており、弁体７０１の回転軸ｘ１と通孔７０２の中心軸ｘ２が直交するようになっている。そして、制御装置Ｃからの信号によりモータに通電し、弁体７０１を正転（矢印ｙ１）させると、通孔７０２が開放されて給水管７ｃを開く（図８（ｂ））。反対に、弁体７０１を逆転（矢印ｙ２）させると、通孔７０２がケース７００で塞がれ、給水管７ｃを閉じる。
【００２６】
ここで、電動弁７０，７１の開口量は、弁体７０１の回転により徐々に変化する。詳しくは、通孔７０２がケース７００で完全に塞がれた開口量が零の全閉の状態から弁体７０１を正転させると、通孔７０２の開放の程度、即ち、電動弁７０，７１の開口量が徐々に大きくなって、全開に至る。以下、電動弁７０，７１が全閉と全開の間にある状態を、通孔７０２の開放の程度によらず半開とする。
【００２７】
定量給水通路７ｄの途中に設けられる電動弁７０は、燃焼設備Ｂの使用に合わせて開弁し、半開の状態で使用される。具体的には、全閉の電動弁７０を全開にするまでにかかる通電時間をｓ１秒とすると、例えば、零から（１／１００）秒ずつ通電時間を長くして散水ノズル３から排気パネル２上に供給される水の量（以下、給水量とする）を目視確認する。そして、目的とする給水量となったときの通電時間をｓ２秒（０＜ｓ２＜ｓ１）とすると、この時間（ｓ２秒）を制御装置Ｃに記憶させる。そして、電動弁７０を開弁する場合には、全閉の電動弁７０にｓ２秒通電して定量給水通路７ｄを開き、電動弁７０を閉弁する場合には、電動弁７０にｓ２秒通電して定量給水通路７ｄを閉じる。このようにすることで、排水パネル２上に連続的に少量ずつの水を散水ノズル３を介して供給することができ、排水パネル２上の水量を適正に保つことが容易である。
【００２８】
また、本実施の形態において、制御装置Ｃは、排気ファン６０への通電開始時に電動弁７０にｓ２秒間通電して電動弁７０を所定量開口させるとともに、排気ファン６０への通電終了時に電動弁にｓ２秒間通電して電動弁７０を閉弁させる。このため、排気ファン６０の作動中に電動弁７０は半開に維持され、排気ファン６０の停止に合わせて電動弁７０が全閉となる。このように、排気ファン６０と電動弁７０とを連動させることで、例えば、電動弁７０の閉じ忘れを抑制し、無駄な水資源の使用を抑制できる。
【００２９】
他方、緊急給水通路７ｅの途中に設けられる電動弁７１は、制御装置Ｃによって全開か全閉かで制御される。そして、制御装置Ｃは、火災の発生により、温度センサ９で検出されたハウジング１内部の温度が所定以上（例えば、１００℃以上）となったとき、電動弁７１を全開にして緊急給水通路７ｅを開放する。これにより、散水ノズル３から大量の水が排気パネル２上に供給され、ハウジング１内部の温度を下げることができる。上記構成によれば、火災発生時に、排気吸引通路６を介した火災の伝送を防ぐことができる。また、制御装置Ｃは、温度センサ９で検出されたハウジング１内部の温度が所定よりも下がると、電動弁７１を全閉にして緊急給水通路７ｅを閉じるので、鎮火後にも緊急給水通路７ｅが開きっぱなしとなって、水資源を無駄にすることがない。
【００３０】
つづいて、排気パネル２の下側に配置される水槽４は、図３，４に示すように、ハウジング１における本体枠１０の長手方向の両端部に連結されて下側に延びる一対の支持部４０，４１と、これら支持部４０，４１の下部の間に支えられる矩形皿状の受皿部４２とを備えており、この受皿部４２の底に排水口４３が形成されている。そして、受皿部４２の下部には、排水口４３に連なる排出通路８が接続されており、当該排出通路８を介して排気パネル２から受皿部４２上に落下した水を速やかに排出できるようになっている。本実施の形態において、受皿部４２の長手方向の長さはハウジング１における本体枠１０の長手方向の長さと等しいものの、受皿部４２の短手方向の長さが本体枠１０の短手方向の長さよりも長く形成されており、本体枠１０から外側に張り出すように設定されている。このため、本体枠１０から張り出す受皿部４２の上側から排気が受皿部４２の中心側に流れ込み、排気パネル２を通ってハウジング１内部に入ることができる。
【００３１】
以下、本実施の形態に係る排気装置Ａの作動について説明する。
【００３２】
通常時において、緊急給水通路７ｅの電動弁７１は閉じられるが、定量給水通路７ｄの電動弁７０が所定量開かれて半開とされており、定量給水通路７ｄを通じて連続的に少量ずつの水が散水パネル３から排気パネル２上に供給されるようになっている。そして、厨房内の排気は、排気ファン６０に吸引力により、受皿部４２の上側からハウジング１の下側に回り込み、排気パネル２の孔２１を通ってハウジング１の下側の開口からハウジング１の内部に入り込む。さらに、当該排気は、エリミネータ５の螺旋状通路５ａ，５ｂを通ってハウジング１の上側の開口から排気吸引通路６に吸い込まれ、当該排気吸引通路６を通って屋外に排出される。
【００３３】
上記排気は、排気パネル２の孔２１を通過する際、排気パネル２上の水を激しくバブリング（撹拌）し、水と接触するので、排気中の油脂分や臭いの成分等（以下、油脂分等という）が水に移る。このため、排気が排気パネル２を通過する際に、水でろ過されて、排気中から油脂分等が除去される。また、上記バブリングによれば、排気パネル２の上側に油脂分等を含む無数の微小な水滴が飛散して排気中に混じる。しかしながら、上記水滴は、排気がエリミネータ５の螺旋状通路５ａ，５ｂを通過する際の遠心力で、エリミネータ５の外周枠５０、第一傾斜片５１及び第二傾斜片５２の壁面に付着する。このため、油脂分等や水滴が除去された状態で排気が排気吸引通路６に吸引される。
【００３４】
上記エリミネータ５によれば、螺旋状通路５ａ，５ｂを用いて排気を旋回流させ、この際の遠心力で排気中の水滴を除去できるので、上記螺旋状通路５ａ，５ｂの通路面積を広くすることができる。このため、本実施の形態のエリミネータ５は、例えば、フィルタを利用して水滴を除去する場合と比較して目詰まりを極めて起こしにくく、排気吸引通路６への水滴の移動を抑制しながら、エリミネータ５の交換、洗浄等のメンテナンス頻度を大幅に低減できる。したがって、排気装置Ａの運用コストが安価である。
【００３５】
つづいて、火災が発生した緊急時において、ハウジング１の内部の温度が上昇し、温度センサ９で検出された温度が所定以上となると、制御装置Ｃが緊急給水通路７ｅの電動弁７１を全開にし、緊急給水通路７ｅを開放する。このため、排水パネル２上に大量の水を供給してハウジング１内の温度を下げることができる。したがって、火災による火の粉がハウジング１内に飛散する油脂分に引火したとしても、速やかに消火して、火災が排気吸引通路６を介して伝送されることを防ぐことができる。
【００３６】
また、鎮火後に、温度センサ９で検出された温度が所定よりも下がると、制御装置Ｃが緊急給水通路７ｅの電動弁７１を全閉にし、緊急給水通路７ｅを閉じるので、水資源を無駄にすることがない。
【００３７】
以下、本実施の形態に係る排気装置Ａの作用効果について説明する。
【００３８】
本実施の形態において、排気パネル２は、孔２１が形成される一枚のメインパネル２０を備えており、孔２１の縁２０ａが高く隆起している。
【００３９】
上記構成によれば、孔２１が形成されるメインパネル２０が一枚であっても、メインパネル２０の保水力を高めて、排気パネル２上の水が不足することを抑制できる。なお、排気パネル２の構成は、上記の限りではなく、適度な保水力を有し、良好なバブリングを持続できる限りにおいて、適宜変更することが可能である。例えば、本実施の形態において、メインパネル２０における孔２１の縁２０ａ全体が隆起して、当該隆起部分が環状となっているが、孔２１の縁２０ａの一部が隆起して、当該隆起部分が、例えば、円弧状となるとしてもよい。また、平坦なメインパネルを利用するとしてもよく、この場合には、保水力を高めるため、平坦なメインパネルを所定の隙間を開けて上下二枚重ねにすることが好ましい。
【００４０】
また、本実施の形態において、エリミネータ５は、複数設けられており、第一傾斜片５１の上端と第二傾斜片５２の上端が交互に一列に並ぶように連結されている。
【００４１】
上記構成によれば、複数のエリミネータ５を連ねてエリミネータユニットＵとして取り扱うことができるので、複数のエリミネータ５をハウジング１に取り付ける際の作業を簡易にすることができる。さらには、上記した配置とすることで、図６に示す傾斜片母材ｕ１，ｕ２、仕切り板ｕ３及び長枠ｕ４を組み合わせてエリミネータユニットＵを形成することが可能となり、当該エリミネータユニットＵの製造を容易にできる。なお、エリミネータ５は、一以上であればよく、エリミネータ５やエリミネータユニットＵの数は、ハウジング１のサイズに応じて適宜変更することが可能である。また、エリミネータユニットＵを構成するエリミネータ５の並びは、適宜変更可能であるとともに、エリミネータ５を連ねてエリミネータユニットＵを構成せずに、個別に取り扱うとしてもよい。
【００４２】
また、本実施の形態において、エリミネータ５は、上下に開口する四角柱状の外周枠５０と、この外周枠５０の内側に配置され上下に斜めに傾斜する第一傾斜片５１及び第二傾斜片５２とを備えており、上記第一傾斜片５１と上記第二傾斜片５２は、反対方向に傾斜しながら隣り合わせに配置されている。そして、上記第一傾斜片５１の上部分が上記第二傾斜片５２の下部分に被さるとともに、上記第二傾斜片５２の上部分が上記第一傾斜片５１の下部分に被さるようになっている。
【００４３】
上記構成によれば、一つのエリミネータ５に二条の螺旋状通路５ａ，５ｂを容易に形成することができる。なお、エリミネータ５の構成は、少なくとも一条の螺旋状通路を有する限り、適宜変更することができる。
【００４４】
また、本実施の形態において、排気装置Ａは、ハウジング１の内部に、このハウジング１を通過して排気吸引通路６に吸引される排気を旋回させる螺旋状通路５ａ，５ｂを有した一以上のエリミネータ５を設けている。
【００４５】
上記構成によれば、螺旋状通路５ａ，５ｂは、通路面積が大きくても排気内の水滴を遠心力でエリミネータ５の壁面に付着させることができる。このため、上記構成を備える排気装置Ａは、排気吸引通路６への水滴の移動をしながら、メンテナンス頻度を低減することが可能となる。
【００４６】
また、本実施の形態において、排気装置Ａは、ハウジング１の内部の温度を検出する温度センサ９を備えており、制御装置Ｃは、上記温度センサ９で検出された値を基に電動弁７１を開閉する。
【００４７】
上記構成によれば、ハウジング１の内部の温度が上がる緊急時に電動弁７１を開いて消火できるのは勿論のこと、ハウジング１の内部の温度が下がったときには電動弁７１を閉じることができるので、鎮火後も電動弁７１が開きっぱなしとなって水資源の無駄になることを抑制できる。なお、別の構成により、ハウジング１内の消火や排気吸引通路６を介する火災の伝送が防止される場合には、温度センサ９や、緊急給水通路７ｅ、緊急給水用の電動弁７１を廃することもできる。
【００４８】
また、本実施の形態において、制御装置Ｃは、定量給水通路７ｄの電動弁７０を開閉する際、全閉の電動弁７０が全開になるまでの通電時間ｓ１よりも短い時間（ｓ２）、上記電動弁７０に通電する。
【００４９】
上記構成によれば、電動弁７０をわずかに開いて、排気パネル２上に少量ずつの水を連続的に供給することが可能となり、給水量を適正に維持しやすい。このため、排気パネル２上の水か少なくなって、バブリングによる排気の浄化が充分に行えなくなったり、排気パネル２上に水が過剰に供給されて、水資源の無駄になったりすることを防ぐことができる。なお、電動弁７０の仕様により、全開にしても排気パネル２上に少量ずつの水を連続的に供給することができれば、定量給水通路７ｄに設けられる電動弁７０を、全開／全閉で制御するようにしてもよい。
【００５０】
また、本実施の形態において、排気装置Ａは、上下に開口を有するハウジング１と、このハウジング１の上側の上記開口に接続されて上記ハウジング１内の排気を吸引する排気吸引通路６と、上記ハウジング１の下側の上記開口に被さり複数の孔２１を有する排気パネル２と、この排気パネル２上に水を供給する散水ノズル３と、上記排気パネル２の下側に配置される水槽４とを備え、上記排気パネル２上に貯留される水に上記孔２１を通して排気を送り込み、バブリングさせてから上記排気吸引通路６側に吸引させるものであり、上記散水ノズル３と水源とを接続する給水通路７と、この給水通路７の途中に設けられる通常時給水用の電動弁７０と、この電動弁７０を開閉制御する制御装置Ｃとを備えている。
【００５１】
上記構成によれば、散水ノズル３から排気パネル２へ供給される水の量（給水量）を電動弁７０への通電時間で微調節することができ、当該通電時間を制御装置Ｃで制御することにより、排気パネル２への水の供給が散水ノズル３からの供給のみであっても、排気パネル２上の水量を適正に維持できる。
【００５２】
つまり、本実施の形態においては、従来のように水槽４に水を溜めたり、当該水槽４からポンプで水を排水パネル２上に汲み上げたり、水槽４内の水量を制御したりする必要がない。したがって、上記構成によれば、簡易な構成で排気パネル上の水量を適正に維持することが可能となり、部品数を削減するとともに構造の複雑化を解消し、コストを低減することができる。
【００５３】
なお、本実施の形態において、通常時に排気パネル２上に水を供給するための通路（定量給水通路７ｄ）と緊急時に排気パネル２上に水を供給するための通路（緊急給水通路７ｅ）とを分け、それぞれに電動弁７０，７１を設けているが、給水管７ｃを分岐させずに、当該給水管７ｃに設けられる一つの電動弁で、通常時の少量定量給水と緊急時の大量給水とを行えるようにしてもよい。詳しくは、この場合、通常時において電動弁を半開にして使用し、緊急時に電動弁を全開にするように制御装置Ｃで制御することにより、定量給水通路７ｄと緊急給水通路７ｅとを一本に集約できる。
【００５４】
以上、本考案の好ましい実施の形態を詳細に説明したが、実用新案登録請求の範囲から逸脱することなく改造、変形及び変更を行うことができることは理解すべきである。
【符号の説明】
【００５５】
Ａ  排気装置
Ｃ  制御装置
１  ハウジング
２  排気パネル
３  散水ノズル
４  水槽
５  エリミネータ
５ａ，５ｂ  螺旋状通路
６  排気吸引通路
７  給水通路
９  温度センサ
２０  メインパネル
２０ａ  孔の縁
２１  孔
５０  外周枠
５１  第一傾斜片
５２  第二傾斜片
７０，７１  電動弁
【図１】
0003190927.tif 000003
【図２】
0003190927.tif 000004
【図３】
0003190927.tif 000005
【図４】
0003190927.tif 000006
【図５】
0003190927.tif 000007
【図６】
0003190927.tif 000008
【図７】
0003190927.tif 000009
【図８】
0003190927.tif 000010